(57)【要約】【課題】複数系統のエレベータ装置毎に設けられた無線モジュールを保守点検時に有効に使用してセキュリティや省電力が十分に図られ、効率良く機能点検できるエレベータシステムを提供する。【解決手段】このシステムでは、エレベータ装置１０１Ａ、１０１Ｂ、１０１Ｃの制御盤１０２Ａ、１０２Ｂ、１０２Ｃの記憶部２０３Ａ、２０３Ｂ、２０３Ｃ内のタイマプログラム２０４Ａ、２０４Ｂ、２０４Ｃでの所定の計数後にテストプログラム２０５Ａ、２０５Ｂ、２０５Ｃがテストモードを起動させて無線モジュール１０３Ａ、１０３Ｂ、１０３Ｃを電源投入した後に保守点検指示すると、予め指定されたモジュール１０３Ａがマスタとなってモジュール１０３Ｂに通信経路２１１でテストデータ列を送信し、モジュール１０３Ｂが受信したテストデータ列を折返して通信経路２１２でモジュール１０３Ａに送信する第１のテストルーチンを含むテストシーケンスを実行する。【選択図】図２
2017039555.tif 000002
【特許請求の範囲】
【請求項１】
建物に設備された昇降路の多階床間を昇降する乗りかごに対するエレベータ機構部が階床毎の乗場に並設される複数系統のエレベータ装置と、前記複数系統のエレベータ装置毎のエレベータ機構部を制御する複数系統の制御盤と、前記複数系統の制御盤に接続されると共に、前記複数系統のエレベータ装置毎の乗場に設置されて保守点検作業員が携帯する無線保守端末における操作入力で無線通信により個別に当該複数系統の制御盤との間で情報の送受信を行わせる複数系統の無線モジュールと、を備えたエレベータシステムにおいて、
前記複数の無線モジュールは、前記複数系統の制御盤によりテストモード起動用の保守点検指示を受けると電源投入状態となり、予め指定された第１の無線モジュールがマスタとなって隣接する第２の無線モジュールにテストデータ列を送信し、当該第２の無線モジュールが受信した当該テストデータ列を折返して当該第１の無線モジュールに送信する第１のテストルーチンを含むテストシーケンスを実行することを特徴とするエレベータシステム。
【請求項２】
請求項１記載のエレベータシステムにおいて、
前記テストシーケンスは、前記第１の無線モジュールから前記第２の無線モジュールに隣接する第３の無線モジュールにテストデータ列を送信し、当該第３の無線モジュールが受信した当該テストデータ列を折返して当該第１の無線モジュールに送信する第２のテストルーチンを含むことを特徴とするエレベータシステム。
【請求項３】
請求項２記載のエレベータシステムにおいて、
前記テストシーケンスは、前記第１のテストルーチン及び前記第２のテストルーチンの結果、前記第１の無線モジュールと前記第２の無線モジュールとの間、及び当該第１の無線モジュールと前記第３の無線モジュールとの間の何れにおいても通信異常が発生している場合に、当該第２の無線モジュールをマスタとして切り換えた上で当該第２の無線モジュールから当該第３の無線モジュールにテストデータ列を送信し、当該第３の無線モジュールが受信した当該テストデータ列を折返して当該第２の無線モジュールに送信するオプションテストルーチンを含むことを特徴とするエレベータシステム。
【請求項４】
請求項３記載のエレベータシステムにおいて、
前記テストシーケンスは、前記第１のテストルーチンにおける前記第１の無線モジュールと前記第２の無線モジュールとの間、前記第２のテストルーチンにおける当該第１の無線モジュールと前記第３の無線モジュールとの間、並びに前記オプションテストルーチンにおける当該第２の無線モジュールと当該第３の無線モジュールとの間における通信の正常・異常に基づくテストレポートを作成するレポート作成ルーチンを含むことを特徴とするエレベータシステム。
【請求項５】
請求項４記載のエレベータシステムにおいて、
前記テストレポートは、前記第１のテストルーチンについては、前記第１の無線モジュールが前記第２の無線モジュールに送信した前記テストデータ列と当該第２の無線モジュールから折返されて受信される当該テストデータ列との比較結果、前記第２のテストルーチンについては、前記第１の無線モジュールが前記第３の無線モジュールに送信した前記テストデータ列と当該第３の無線モジュールから折返されて受信される当該テストデータ列との比較結果、前記オプションテストルーチンについては、前記第２の無線モジュールが前記第３の無線モジュールに送信した前記テストデータ列と当該第３の無線モジュールから折返されて受信される当該テストデータ列との比較結果を示すものであることを特徴とするエレベータシステム。
【請求項６】
請求項４又は５記載のエレベータシステムにおいて、
前記複数系統のエレベータ装置は、前記複数系統の制御盤にそれぞれ接続されると共に、通信回線網を介して遠隔地に設置されたセンタ装置との間で通信を行う複数の遠隔監視装置を備え、
前記複数の遠隔監視装置は、前記テストレポートを前記通信回線網を介して前記センタ装置へ送信することを特徴とするエレベータシステム。
【請求項７】
請求項６記載のエレベータシステムにおいて、
前記複数系統の制御盤は、前記テストモードを起動するための所定の計数を行うタイマプログラムと、前記所定の計数後に前記テストモードを起動させて前記複数の無線モジュールの対応する無線モジュールを電源投入状態としてから前記保守点検指示を行って前記テストシーケンスを実行させるテストプログラムと、を内蔵する記憶部をそれぞれ備えたことを特徴とするエレベータシステム。
【請求項８】
請求項６記載のエレベータシステムにおいて、
前記複数の遠隔監視装置は、前記センタ装置からテスト開始コマンドを受信すると前記複数系統の制御盤の記憶部に内蔵されたテストプログラムにより前記テストモードを起動して前記複数の無線モジュールの対応する無線モジュールを電源投入状態としてから前記保守点検指示を行って前記テストシーケンスを実行させることを特徴とするエレベータシステム。
【発明の詳細な説明】
【技術分野】
【０００１】
本発明は、複数系統のエレベータ装置を群管理すると共に、各エレベータ装置毎の乗場の制御盤に無線モジュールが備えられたエレベータシステムに関する。
【背景技術】
【０００２】
従来、この種のエレベータシステムにおける複数系統のエレベータ装置に適用される無線モジュールに関連する周知技術として、例えば１台のリモコンに対して同じリモコン受信機を持つＣＰＵ基板が複数存在する場合に、リモコンを用いてそれぞれのＣＰＵ基板の各種設定／変更を個別に行う際の操作性を容易にする「エレベータのリモコン装置」（特許文献１参照）が挙げられる。
【先行技術文献】
【特許文献】
【０００３】
【特許文献１】特開２０１３−４３７０８号公報
【発明の概要】
【発明が解決しようとする課題】
【０００４】
上述した特許文献１記載の技術は、エレベータ装置の階床設定や動作モード等の各種設定／変更を容易に行うことができるもので、エレベータ装置の乗場に設置された操作盤において、隣接する号機（例えばＡ号機、Ｂ号機）の操作盤が隣り合って配置される場合があり、こうした場合に操作盤の内部には受信中心周波数が同じリモコン受信機が実装された２つのＣＰＵ基板が実装されるため、リモコン操作した場合にＡ号機、Ｂ号機の両方が操作されてしまう場合を考慮し、乗場の操作盤における動作モード等の設定を各号機毎にエレベータ装置を休止させる等の操作を行うために各号機用のＣＰＵ基板をそれぞれ別個に操作できるようにしている。
【０００５】
このような操作を可能にするため、乗場の操作盤毎にマイクロコンピュータを具備し、マイクロコンピュータによって、それに接続されている釦が押された状態でリモコン信号を受信した場合には、受信したリモコン信号による動作設定を実行し、係る釦が押されていない状態でリモコン信号を受信した場合には、受信したリモコン信号による動作設定を実行しないように切替判断を行うようにしている。
【０００６】
しかしながら、特許文献１に係るリモコンから送信したリモコン信号を乗場の操作盤に具備されるマイクロコンピュータにより動作設定の切替判断を行う機能について、１つの乗場を共有して複数系統のエレベータ装置が配置されるエレベータシステムでの適用を想定すると、保守点検用の無線端末により任意のエレベータ装置の１つを特定して接続し、そのエレベータ装置の保守点検を行う場合にはエレベータ装置毎に無線モジュールを設けることで１つの無線端末からアクセスできるようにすれば適用できるものの、こうした構成でのエレベータ装置毎に設けられた無線モジュールを保守点検以外の非使用時にアクティブしておくのはセキュリティや省電力の観点からすれば無駄であるものの、そうした対処を十分に図り得ず、またエレベータ装置毎に設けられた無線モジュールが故障しているか否か等の機能点検を行うことができないという問題がある。
【０００７】
即ち、係るエレベータシステムにおいて、複数系統のエレベータ装置毎に設けられた無線モジュールは、エレベータの保守点検時以外ではセキュリティや省電力の観点で電源をオフにしておくことが望ましい。その理由は、保守点検は数か月に１回の頻度であり、非使用時に無線モジュールをアクティブにしておくのは無駄なためである。因みに、エレベータシステムの利便性の向上のため、行先階登録（予約）等の限定された機能については、無線モジュールとユーザ（利用者）が携帯する携帯無線電話端末等との接続を許容することも考えられるが、こうした場合でもユーザとの接続のために起動しておく無線モジュールは１つで十分であり、他の無線モジュールは電源オフにしておくことが望ましい。また、常時電源を投入している無線モジュールであれば比較的故障を発見し易いが、保守点検時以外で無線モジュールを電源オフにしておくことを想定すれば、数か月に一度保守点検員が現場に出向いて無線モジュールの故障に遭遇すると、その原因を特定できなかったり、或いは特定できても必要な無線モジュールの交換部品を所持していなければ、保守点検の日程をその後日に変更する事態も生じ得るので、システム上で無線モジュールの機能点検を行うことができれば、予め故障状態を判定できて本体や交換部品を所持した上で現地へ赴くことができるため、保守点検の効率上望ましいと云える。
【０００８】
本発明は、このような問題点を解決すべくなされたもので、その技術的課題は、複数系統のエレベータ装置毎に設けられた無線モジュールを保守点検時に有効に使用してセキュリティや省電力が十分に図られ、効率良く機能点検できるエレベータシステムを提供することにある。
【課題を解決するための手段】
【０００９】
上記技術的課題を解決するため、本発明の第１の手段は、建物に設備された昇降路の多階床間を昇降する乗りかごに対するエレベータ機構部が階床毎の乗場に並設される複数系統のエレベータ装置と、複数系統のエレベータ装置毎のエレベータ機構部を制御する複数系統の制御盤と、複数系統の制御盤に接続されると共に、複数系統のエレベータ装置毎の乗場に設置されて保守点検作業員が携帯する無線保守端末における操作入力で無線通信により個別に当該複数系統の制御盤との間で情報の送受信を行わせる複数系統の無線モジュールと、を備えたエレベータシステムにおいて、複数の無線モジュールは、複数系統の制御盤によりテストモード起動用の保守点検指示を受けると電源投入状態となり、予め指定された第１の無線モジュールがマスタとなって隣接する第２の無線モジュールにテストデータ列を送信し、当該第２の無線モジュールが受信した当該テストデータ列を折返して当該第１の無線モジュールに送信する第１のテストルーチンを含むテストシーケンスを実行することを特徴とする。
【発明の効果】
【００１０】
本発明によれば、上記構成により、複数系統のエレベータ装置毎に設けられた無線モジュールを保守点検時に有効に使用してセキュリティや省電力が十分に図られ、効率良く機能点検できるようになる。上記した以外の課題、構成及び効果は、以下の実施の形態の説明により明らかにされる。
【図面の簡単な説明】
【００１１】
【図１】本発明の実施例１に係る３系統のエレベータ装置を備えたエレベータシステムにおける周辺接続部のセンタ装置を含めた全体的構成を示したブロック図である。
【図２】図１に示すエレベータシステムにおける周辺接続部のセンタ装置を含む各エレベータ装置の細部構成を無線モジュールでのテストモードにおけるテストシーケンスの通信パターンを付して示した図である。
【図３】図１に示すエレベータシステムにおける図２で説明した無線モジュールに対するテストモードでのテストシーケンスの動作処理を示したフローチャートである。
【図４】図３に示すテストシーケンスに含まれるテストサブルーチンの動作処理を示したフローチャートである。
【図５】実施例１に係る３系統のエレベータ装置を含むエレベータシステムにおける無線モジュールの機能点検結果のデータを例示したもので、（ａ）はテストシーケンスのオプションテストルーチン実行無しのテスト結果のデータに係る図、（ｂ）は（ａ）に継続するテストシーケンスのオプションテストルーチン実行有りのテスト結果のデータに係る図である。
【図６】実施例２に係る４系統のエレベータ装置を含むエレベータシステムにおける無線モジュールの機能点検結果のデータを例示したもので、（ａ）はテストシーケンスのオプションテストルーチン実行無しのテスト結果のデータに係る図、（ｂ）は（ａ）に継続するテストシーケンスのオプションテストルーチン実行有りのテスト結果のデータに係る図である。
【図７】本発明の実施例３に係る３系統のエレベータ装置を備えたエレベータシステムにおける周辺接続部のセンタ装置を含む各エレベータ装置の細部構成を無線モジュールでのテストモードにおけるテストシーケンスの通信パターンを付して示した図である。
【発明を実施するための形態】
【００１２】
以下に、本発明のエレベータシステムについて、幾つかの実施例を挙げ、図面を参照して詳細に説明する。
【実施例１】
【００１３】
図１は、本発明の実施例１に係る３系統のエレベータ装置１０１Ａ、１０１Ｂ、１０１Ｃを備えたエレベータシステム１００における周辺接続部のセンタ装置１１３を含めた全体的構成を示したブロック図である。
【００１４】
図１を参照すれば、実施例１に係るエレベータシステム１００は、図示されない建物に設備された昇降路の多階床間を昇降する乗りかごに対するエレベータ機構部１０５Ａ、１０５Ｂ、１０５Ｃに含まれる乗場ドアが所定の階床のエレベータホール（乗場）１１１において並設される３系統のエレベータ装置１０１Ａ（Ａ号機と呼ばれても良い）、１０１Ｂ（Ｂ号機と呼ばれても良い）、１０１Ｃ（Ｃ号機と呼ばれても良い）と、各エレベータ装置１０１Ａ、１０１Ｂ、１０１Ｃ毎のエレベータ機構部１０５Ａ、１０５Ｂ、１０５Ｃを制御する３系統分の制御盤（ＥＶＣ）１０２Ａ、１０２Ｂ、１０２Ｃと、各制御盤１０２Ａ、１０２Ｂ、１０２Ｃを群管理する群管理盤（ＧＣ）１０８と、各制御盤１０２Ａ、１０２Ｂ、１０２Ｃに接続されると共に、各エレベータ装置１０１Ａ、１０１Ｂ、１０１Ｃ毎のエレベータホール１１１に設置されて保守点検作業員１１０が携帯する無線保守端末１０９における操作入力で無線通信により個別に各制御盤１０２Ａ、１０２Ｂ、１０２Ｃとの間で情報の送受信を行わせる３系統分の無線モジュール１０３Ａ、１０３Ｂ、１０３Ｃと、各制御盤１０２Ａ、１０２Ｂ、１０２Ｃにそれぞれ接続されると共に、通信回線網１１２を介して遠隔地に設置されたセンタ装置１１３との間で通信を行う３系統分の遠隔監視装置（ＲＣ）１０４Ａ、１０４Ｂ、１０４Ｃと、を備える他、エレベータホール１１１の隣り合う乗場ドアの中間箇所には乗場操作盤１０６、１０７が設けられて構成されている。
【００１５】
具体的に云えば、図１中のエレベータホール１１１は建物の１階に該当するもので、乗場操作盤１０６、１０７には地下へ向かうための下向き三角型のかご呼び釦と上階へ向かうための上向き三角型のかご呼び釦とがそれぞれ設けられている。エレベータ機構部１０５Ａ、１０５Ｂ、１０５Ｃは、エレベータ装置１０１Ａ、１０１Ｂ、１０１Ｃの機構部分であり、よく知られているように昇降路内で乗りかごを昇降させるための主ロープ（一端が乗りかごに接続される）、主ロープを巻き上げる巻上機、主ロープの他端に接続される釣合い錘等を含むエレベータの機械部分を示すものである。エレベータ機構部１０５Ａ、１０５Ｂ、１０５Ｃに接続された制御盤１０２Ａ、１０２Ｂ、１０２Ｃは、３系統分の乗りかごに対するかご呼び信号が入力されると巻上機を駆動する駆動装置を制御して巻上機を動作させ、各乗りかごの昇降や停止の動作を制御する。
【００１６】
制御盤１０２Ａ、１０２Ｂ、１０２Ｃに接続された無線モジュール１０３Ａ、１０３Ｂ、１０３Ｃは、乗場操作盤１０６、１０７に隣接してエレベータホール１１１に設けられるが、実際の実装では操作盤１０６、１０７を形成するモジュールの化粧板により見えないように実装されるもので、エレベータホール１１１に居る保守点検員１１０が携帯する無線保守端末１０９における操作入力で無線通信により個別に制御盤１０２Ａ、１０２Ｂ、１０２Ｃとの間で情報の送受信を行うことができる。これにより、保守すべきエレベータ装置１０１Ａ、１０１Ｂ、１０１Ｃの乗りかごの号機のデータを読み出したり、保守に必要なエレベータ機構部１０５Ａ、１０５Ｂ、１０５Ｃの動作を行わせることができる。一般に、無線モジュール１０３Ａ、１０３Ｂ、１０３Ｃは、保守点検作業員１１０による保守点検作業や後述するテスト以外の状況では電源が投入されていないものとする。無線モジュール１０３Ａ、１０３Ｂ、１０３Ｃのテストモードでは、後述するように保守点検員１１０が現場の建物のエレベータホール１１１に来ていない状況で行われる。
【００１７】
エレベータ装置１０１Ａ、１０１Ｂ、１０１Ｃの制御盤１０２Ａ、１０２Ｂ、１０２Ｃに接続された遠隔監視装置１０４Ａ、１０４Ｂ、１０４Ｃは、通信回線網１１２を介して遠隔地の営業所等に設置されたセンタ装置１１３と相互に通信を行う。センタ装置１１３は、特定の地域の複数のエレベータシステム１００を管理しており、例えば図１に示されるエレベータシステム１００のエレベータ装置１０１Ｃ（Ｃ号機）に不具合があることを制御盤１０２Ｃが検出すると、その情報を遠隔監視装置１０４Ｃを通して通信回線網１１２経由でセンタ装置１１３に連絡するため、センタ装置１１３をモニタしている営業所では遠隔監視装置１０４Ｃから報告される不具合のレベルや緊急度に応じて保守点検作業員１１０の派遣等を行う。
【００１８】
３系統の制御盤１０２Ａ、１０２Ｂ、１０２Ｃと２つの乗場操作盤１０６、１０７とに接続された群管理盤１１８は、３系統のエレベータ装置１０１Ａ、１０１Ｂ、１０１Ｃの運行の最適化管理を行うもので、典型的な役割を例示すれば、乗場操作盤１０６で上向き三角型のかご呼び釦が押下操作されるとそのかご呼びを登録し、エレベータ装置１０１Ａ、１０１Ｂ、１０１Ｃの乗りかごのうち、どの乗りかごでそのかご呼びサービスを提供するのが全体運用上で合理的であるかを判断し、例えばエレベータ装置１０１Ｂの乗りかごが最も近くの階床に存在して上階に向かっており、エレベータ装置１０１Ａ、１０１Ｃの乗りかごが既に上階に向かっているような場合にはエレベータ装置１０１Ｂの制御盤１０２Ｂに指令を出してエレベータ装置１０１Ｂの乗りかごを呼ぶようにするものである。
【００１９】
図２は、上述したエレベータシステム１００における周辺接続部のセンタ装置１１３を含む各エレベータ装置１０１Ａ、１０１Ｂ、１０１Ｃの細部構成を無線モジュール１０３Ａ、１０３Ｂ、１０３Ｃでのテストモードにおけるテストシーケンスの通信パターンを付して示した図である。但し、図２中では各エレベータ装置１０１Ａ、１０１Ｂ、１０１Ｃのエレベータ機構部１０５Ａ、１０５Ｂ、１０５Ｃ等は略図している。
【００２０】
図２を参照すれば、ここでの各エレベータ装置１０１Ａ、１０１Ｂ、１０１Ｃでは、各制御盤１０２Ａ、１０２Ｂ、１０２Ｃによりテストモード起動用の保守点検指示を受けると各無線モジュール１０３Ａ、１０３Ｂ、１０３Ｃが電源投入状態となり、予め指定された第１の無線モジュール１０３Ａがマスタとなって隣接する第２の無線モジュール１０３Ｂに通信経路２１１でテストデータ列を送信し、第２の無線モジュール１０３Ｂが受信したテストデータ列を折返して通信経路２１２で第１の無線モジュール１０３Ａに送信する第１のテストルーチンと、第１の無線モジュール１０３Ａから第２の無線モジュール１０３Ｂに隣接する第３の無線モジュール１０３Ｃに通信経路２１３でテストデータ列を送信し、第３の無線モジュール１０３Ｃが受信したテストデータ列を折返して通信経路２１４で第１の無線モジュール１０３Ａに送信する第２のテストルーチンと、を含むテストシーケンスを実行するための処理機能が構築されている。また、このテストシーケンスは、第１のテストルーチン及び第２のテストルーチンの結果、第１の無線モジュール１０３Ａと第２の無線モジュール１０３Ｂとの間、及び第１の無線モジュール１０３Ａと第３の無線モジュール１０３Ｃとの間の何れにおいても通信異常が発生している場合に、第２の無線モジュール１０３Ｂをマスタとして切り換えた上で第２の無線モジュール１０３Ｂから第３の無線モジュール１０３Ｃにテストデータ列を送信し、第３の無線モジュール１０３Ｃが受信したテストデータ列を折返して第２の無線モジュール１０３Ｂに送信するオプションテストルーチンを含んでいる。更に、このテストシーケンスは、第１のテストルーチンにおける第１の無線モジュール１０３Ａと第２の無線モジュール１０３Ｂとの間、第２のテストルーチンにおける第１の無線モジュール１０３Ａと第３の無線モジュール１０３Ｃとの間、並びにオプションテストルーチンにおける第２の無線モジュール１０３Ｂと第３の無線モジュール１０３Ｃとの間における通信の正常・異常に基づくテストレポートを作成するレポート作成ルーチンを含んでいる。因みに、テストレポートは、第１のテストルーチンについては、第１の無線モジュール１０３Ａが第２の無線モジュール１０３Ｂに送信したテストデータ列と第２の無線モジュール１０３Ｂから折返されて受信されるテストデータ列との比較結果、第２のテストルーチンについては、第１の無線モジュール１０３Ａが第３の無線モジュール１０３Ｃに送信したテストデータ列と第３の無線モジュール１０３Ｃから折返されて受信されるテストデータ列との比較結果、プションテストルーチンについては、第２の無線モジュール１０３Ｂが第３の無線モジュール１０３Ｃに送信したテストデータ列と第３の無線モジュール１０３Ｃから折返されて受信されるテストデータ列との比較結果を示すものである。
【００２１】
このようなテストシーケンスを実行させるための細部構成について図２を参照して具体的に説明すれば、各エレベータ装置１０１Ａ、１０１Ｂ、１０１Ｃの制御盤１０２Ａ、１０２Ｂ、１０２Ｃは、無線モジュール１０３Ａ、１０３Ｂ、１０３Ｃや遠隔監視装置１０４Ａ、１０４Ｂ、１０４Ｃとの間で情報の送受信を行うための入出力部（Ｉ／Ｏ）２０１Ａ、２０１Ｂ、２０１Ｃと、情報の演算処理を行う演算部（ＣＰＵ）２０２Ａ、２０２Ｂ、２０２Ｃと、テストモードを起動するための所定の計数を行うタイマプログラム（タイマＰＲＧ）２０４Ａ、２０４Ｂ、２０４Ｃ、並びに所定の計数後にテストモードを起動して無線モジュール１０３Ａ、１０３Ｂ、１０３Ｃの対応するものを電源投入状態としてからテストシーケンスを実行させるテストプログラム（テストＰＲＧ）２０５Ａ、２０５Ｂ、２０５Ｃやその他のプログラムを格納した記憶部（ＭＥＭ）２０３Ａ、２０３Ｂ、２０３Ｃと、を有する。制御盤１０２Ａ、１０２Ｂ、１０２Ｃでは、入出力部２０１Ａ、２０１Ｂ、２０１Ｃに所定の信号が入力されると、それを契機として記憶部２０３Ａ、２０３Ｂ、２０３Ｃのタイマプログラム２０４Ａ、２０４Ｂ、２０４Ｃ及びテストプログラム２０５Ａ、２０５Ｂ、２０５Ｃに基づいて演算部２０２Ａ、２０２Ｂ、２０２Ｃが所定の処理を行って制御信号（無線モジュール１０３Ａ、１０３Ｂ、１０３Ｃを電源投入させてのテストシーケンスの実行を含む）を生成し、入出力部２０１Ａ、２０１Ｂ、２０１Ｃからエレベータ機構部１０５Ａ、１０５Ｂ、１０５Ｃへ所定の制御信号を送ってエレベータ機構部１０５Ａ、１０５Ｂ、１０５Ｃの動作を制御する。
【００２２】
また、制御盤１０２Ａ、１０２Ｂ、１０２Ｃに接続される遠隔監視装置１０４Ａ、１０４Ｂ、１０４Ｃについても同様に、制御盤１０２Ａ、１０２Ｂ、１０２Ｃや通信回線網１１２を介してのセンタ装置１１３との間で情報の送受信を行うための入出力部（Ｉ／Ｏ）２０６Ａ、２０６Ｂ、２０６Ｃと、情報の演算処理を行う演算部（ＣＰＵ）２０７Ａ、２０７Ｂ、２０７Ｃと、所定のプログラムを格納した記憶部（ＭＥＭ）２０８Ａ、２０８Ｂ、２０８Ｃと、を有する。更に、センタ装置１１３についても同様に、通信回線網１１２を介してのエレベータ装置１０１Ａ、１０１Ｂ、１０１Ｃの遠隔監視装置１０４Ａ、１０４Ｂ、１０４Ｃとの間で情報の送受信を行うための入出力部（Ｉ／Ｏ）２２１と、情報の演算処理を行う演算部（ＣＰＵ）２２２と、所定のプログラムを格納した記憶部（ＭＥＭ）２２３と、を有する。
【００２３】
図３は、実施例１のエレベータシステム１００における無線モジュール１０３Ａ、１０３Ｂ、１０３Ｃに対するテストモードでのテストシーケンス（第１のテストルーチン、第２のテストルーチン、オプションテストルーチンを含む）の動作処理を示したフローチャートである。
【００２４】
図３を参照すれば、無線モジュール１０３Ａ、１０３Ｂ、１０３Ｃに対するテストモードの動作処理では、制御盤１０２Ａ、１０２Ｂ、１０２Ｃの記憶部２０３Ａ、２０３Ｂ、２０３Ｃにおけるタイマプログラム２０４Ａ、２０４Ｂ、２０４Ｃでの所定の計数によってテストモードが起動される。所定の計数として、例えば１週間に一度、日曜日の深夜３時になるとテスト起動信号を発生する場合を例示できる。そこで、このテスト起動信号を受信した制御盤１０２Ａ、１０２Ｂ、１０２Ｃの記憶部２０３Ａ、２０３Ｂ、２０３Ｃにおけるテストプログラム２０５Ａ、２０５Ｂ、２０５Ｃが起動されて無線モジュールテストモードがスタート（ステップＳ３０１）する。これにより、エレベータ装置１０１Ａ、１０１Ｂ、１０１Ｃ（Ａ号機〜Ｃ号機）の制御盤１０２Ａ、１０２Ｂ、１０２Ｃのタイマプログラム２０４Ａ、２０４Ｂ、２０４Ｃにより、入出力部２０１Ａ、２０１Ｂ、２０１Ｃに働きかけて無線モジュール１０３Ａ、１０３Ｂ、１０３Ｃをそれぞれに電源を投入し、起動する（ステップＳ３０２）。この結果、無線モジュール１０３Ａ、１０３Ｂ、１０３Ｃは一斉に電源投入される。因みに、ここでは新たなハードウェアを導入せずに計数処理を実現できるタイマプログラム２０４Ａ、２０４Ｂ、２０４Ｃを用いた場合を説明したが、一般にはハードウェアによるタイマ（計数手段）の計数機能を用いることも可能である。処理機能上ではタイマプログラム２０４Ａ、２０４Ｂ、２０４Ｃについてもタイマとみなすことができる。また、テストプログラム２０５Ａ、２０５Ｂ、２０５Ｃは基本的に同じものであるが、内部のフラグ設定により特定の号機に係る無線モジュールがマスタになるように指定することができる。ここではＡ号機のテストプログラム２０５Ａには予め指定された第１の無線モジュールとする無線モジュール１０３Ａに対してテストモード起動用の保守点検指示を行った際にマスタ（アクセスポイント）の初期設定を示すフラグ１が設定され、無線モジュール１０３Ｂに対応するＢ号機のテストプログラム２０５Ｂ、並びに無線モジュール１０３Ｃに対応するＣ号機のテストプログラム２０５Ｃには同様にテストモード起動用の保守点検指示を行った際にクライアントの初期設定を示すフラグ０が設定されているものとするが、これらのフラグの設定はエレベータシステム１００の現場での保守点検作業員が携帯する無線保守端末１０９で設定（任意に変更可能）できる他、センタ装置１１３から通信回線網１１２を経由して遠隔監視装置１０４Ａ、１０４Ｂ、１０４Ｃを介して設定（任意に変更可能）することができる。
【００２５】
次に、テストプログラム２０５Ａによりテストモード起動用の保守点検指示を受けてマスタ（アクセスポイント）とされたＡ号機の第１の無線モジュール１０３Ａは、他のＢ号機の第２の無線モジュール１０３Ｂ及びＣ号機の第３の無線モジュール１０３ＣをクライアントとしてＳＳＩＤ（Ｓｅｒｖｉｃｅ  Ｓｅｔ  Ｉｄｅｎｔｉｆｉｅｒ）が見えるか確認する（ステップＳ３０３）処理を行い、Ｂ号機、Ｃ号機の両方の第２の無線モジュール１０３Ｂ、第３の無線モジュール１０３ＣのＳＳＩＤが検知されたか否かの判定（ステップＳ３０４）を行う。但し、Ａ号機の第１の無線モジュール１０３Ａ、Ｂ号機の第２の無線モジュール１０３Ｂ、及びＣ号機の第３の無線モジュール１０３ＣのＳＳＩＤはテストプログラム２０５Ａ、２０５Ｂ、２０５Ｃ中に参照パラメータとして記憶されており、Ａ号機〜Ｃ号機とＳＳＩＤとの関係をテストプログラム２０５Ａ、２０５Ｂ、２０５Ｃが判別できるものとする。この判別の結果、Ｂ号機の第２の無線モジュール１０３Ｂ、及びＣ号機の第３の無線モジュール１０３ＣのＳＳＩＤの何れか一方でも検知されなければ、Ａ号機の第１の無線モジュール１０３Ａはテストレポート１を作成するレポート作成ルーチンを実行し、Ｂ号機の第２の無線モジュール１０３Ｂ及び／又はＣ号機の第３の無線モジュール１０３Ｃ（これらの何れか一方）の起動異常あり（ステップＳ３０５）とする処理を行った後、マスタとなった号機（Ａ号機）の遠隔監視装置１０４Ａは、テストレポート（テストレポート１）をセンタ装置１１３に送信し、Ａ号機〜Ｃ号機の制御盤１０２Ａ、１０２Ｂ、１０２Ｃは、Ａ号機〜Ｃ号機の第１の無線モジュール１０３Ａ、第２の無線モジュール１０３Ｂ、及び第３の無線モジュール１０３Ｃの電源をＯＦＦする（ステップＳ３１３）処理にジャンプしてから無線モジュールテストモードをエンド（ステップＳ３１４）にするが、Ｂ号機、Ｃ号機の両方の第２の無線モジュール１０３Ｂ、第３の無線モジュール１０３ＣのＳＳＩＤが検知されていれば、マスタであるＡ号機の第１の無線モジュール１０３ＡはＡ号機の第１の無線モジュール１０３Ａ及びＢ号機の第２の無線モジュール１０３Ｂ間の「テストサブルーチン（第１のテストルーチン）」実行並びにＡ号機の第１の無線モジュール１０３Ａ及びＣ号機の第３の無線モジュール１０３Ｃ間の「テストサブルーチン（第２のテストルーチン）」実行（ステップＳ３０６）の処理（図２中の通信経路２１１〜２１４に該当する）を行う。
【００２６】
図４は、図３に示すテストシーケンスに含まれるテストサブルーチンの動作処理を示したフローチャートである。図４を参照すれば、テストサブルーチンがスタート（ステップＳ４０１）すると、一般に送信部とするＸ号機をマスタ（アクセスポイント）、受信部とするＹ号機をクライアントとして接続を確立するリトライカウンタ１にＭ＝３、リトライカウンタ２にＮ＝３に初期値設定（ステップＳ４０２）する処理を行った後、Ｘ号機の第１の無線モジュール１０３Ａは、Ｘ号機からテストデータ列をＹ号機の第２の無線モジュール１０３Ｂに送信し、Ｙ号機の第２の無線モジュール１０３Ｂがテストデータ列を受信して折返しＸ号機の第１の無線モジュール１０３Ａにテストデータ列を送信する、第１のテストルーチンのテストコマンドを実行（ステップＳ４０３）するようにしてからタイムオーバーチェックとして、Ｘ号機は、Ｙ号機から折返しテストデータ列を所定時間内に受信したか否かの判定（ステップＳ４０４）を行う。尚、最初にテストデータ列を送信部のＸ号機の第１の無線モジュール１０３Ａから受信部のＹ号機の第２の無線モジュール１０３Ｂに送信する際には、テストデータ列の先頭に付加されるヘッダに折返送信コマンドが埋め込まれており、その折返送信コマンドをＹ号機の第２の無線モジュール１０３Ｂを介して制御盤１０２Ｂの記憶部２０３Ｂにおけるテストプログラム２０５Ｂが解釈すると、その折返送信コマンドが実行され、テストデータ列がＹ号機の第２の無線モジュール１０３ＢからＸ号機の第１の無線モジュール１０３Ａへ送信される仕組みを採用しているものとする。
【００２７】
上記判定の結果、折返しテストデータ列を所定時間内に受信していなければ、リトライカウンタ１についてＭ＝Ｍ−１とした上でＭ＝０であるか否かの判定（ステップＳ４０５）を行い、Ｍ＝０であればＸ号機の第１の無線モジュール１０３Ａ及びＹ号機の第２の無線モジュール１０３Ｂ間の通信は異常と判断（ステップＳ４１０）してからテストサブルーチンをエンド（ステップＳ４１１）にするが、Ｍ＝０でなければ先の第１のテストルーチンのテストコマンドを実行（ステップＳ４０３）する処理の前に戻ってそれ以降の処理を繰り返すリトライルーチンを行わせ、折返しテストデータ列を所定時間内に受信していればＸ号機は、Ｙ号機から折返しテストデータ列を、元のテストデータ列と比較（ステップＳ４０６）し、データ誤りチェックとして、受信したテストデータ列に誤りは無いか否かの判定（ステップＳ４０７）を行う。この判定の結果、受信したテストデータ列に誤りがあれば、リトライカウンタ２についてＮ＝Ｎ−１とした上でＮ＝０であるか否かの判定（ステップＳ４０８）を行い、Ｎ＝０であればＸ号機の第１の無線モジュール１０３Ａ及びＹ号機の第２の無線モジュール１０３Ｂ間の通信は異常と判断（ステップＳ４１０）してからテストサブルーチンをエンド（ステップＳ４１１）にするが、Ｎ＝０でなければ先の第１のテストルーチンのテストコマンドを実行（ステップＳ４０３）する処理の前に戻ってそれ以降の処理を繰り返すリトライルーチンを行わせ、受信したテストデータ列に誤りが無ければ、Ｘ号機の第１の無線モジュール１０３Ａ及びＹ号機の第２の無線モジュール１０３Ｂ間の通信は正常と判断（ステップＳ４０９）してからテストサブルーチンをエンド（ステップＳ４１１）にする。上述したリトライルーチンに係る判定（ステップＳ４０５、Ｓ４０８）は一回だけでなく所定のリトライ回数（例えば３回）を超えた場合に異常を判定するようにしているが、これらの処理はタイムオーバーチェックの判定（Ｓ４０４）と合わせて、テスト時間を短縮したい場合には省略することもできる。
【００２８】
上述したテストサブルーチンの実行後、Ａ号機の第１の無線モジュール１０３Ａは、Ａ号機の第１の無線モジュール１０３Ａ及びＢ号機の第２の無線モジュール１０３Ｂ間、及びＡ号機の第１の無線モジュール１０３Ａ及びＣ号機の第３の無線モジュール１０３Ｃ間の両方が通信不良有りか否かの判定（ステップＳ３０７）を行う。この判定の結果、Ａ号機の第１の無線モジュール１０３Ａ及びＢ号機の第２の無線モジュール１０３Ｂ間、及びＡ号機の第１の無線モジュール１０３Ａ及びＣ号機の第３の無線モジュール１０３Ｃ間の両方が通信不良有でなければ、Ａ号機の第１の無線モジュール１０３Ａは、テストレポート２を作成するレポート作成ルーチンを実行し、具体的にはＣａｃｅ＃１：Ａ号機〜Ｃ号機の全ての無線モジュール（第１の無線モジュール１０３Ａ、第２の無線モジュール１０３Ｂ、第３の無線モジュール１０３Ｃ）通信正常、Ｃａｃｅ＃２：Ｂ号機の第２の無線モジュール１０３Ｂ異常あり（第１の無線モジュール１０３Ａ及び第２の無線モジュール１０３Ｂ間通信異常、第１の無線モジュール１０３Ａ及び第３の無線モジュール１０３Ｃ間通信正常）、Ｃａｃｅ＃３：Ｃ号機の第３の無線モジュール１０３Ｃ異常あり（第１の無線モジュール１０３Ａ及び第２の無線モジュール１０３Ｂ間通信正常、第１の無線モジュール１０３Ａ及び第３の無線モジュール１０３Ｃ間通信異常）（ステップＳ３０８）とする処理を行った後、マスタとなった号機（Ａ号機）の遠隔監視装置１０４Ａは、テストレポート（テストレポート２）をセンタ装置１１３に送信し、Ａ号機〜Ｃ号機の制御盤１０２Ａ、１０２Ｂ、１０２Ｃは、Ａ号機〜Ｃ号機の第１の無線モジュール１０３Ａ、第２の無線モジュール１０３Ｂ、及び第３の無線モジュール１０３Ｃの電源をオフする（ステップＳ３１３）処理にジャンプしてから無線モジュールテストモードをエンド（ステップＳ３１４）にするが、Ａ号機の第１の無線モジュール１０３Ａ及びＢ号機の第２の無線モジュール１０３Ｂ間、及びＡ号機の第１の無線モジュール１０３Ａ及びＣ号機の第３の無線モジュール１０３Ｃ間の両方に通信不良有であれば、Ａ号機の第１の無線モジュール１０３Ａは、テストレポート２を作成するレポート作成ルーチンを実行し、具体的にはＣａｃｅ＃４：Ａ号機〜Ｃ号機の無線モジュール（第１の無線モジュール１０３Ａ、第２の無線モジュール１０３Ｂ、第３の無線モジュール１０３Ｃ）のいずれかに異常あり（ステップＳ３０９）とみなす。ここでは、Ａ号機の第１の無線モジュール１０３Ａ及びＢ号機の第２の無線モジュール１０３Ｂ間通信異常、及びＡ号機の第１の無線モジュール１０３Ａ及びＣ号機の第３の無線モジュール１０３Ｃ間通信異常である場合に該当するが、実際の内容として、仮説１：Ａ号機の第１の無線モジュール１０３Ａに異常あり、仮説２：Ａ号機の第１の無線モジュール１０３Ａは正常だが、Ｂ号機の第２の無線モジュール１０３Ｂ及びＣ号機の第３の無線モジュール１０３Ｃの両方に異常あり、仮説３：Ａ号機〜Ｃ号機の第１の無線モジュール１０３Ａ、第２の無線モジュール１０３Ｂ、及び第３の無線モジュール１０３Ｃの全てに異常ありとする場合が想定される。
【００２９】
これらの仮説のうち、仮説１は後述する以降の処理であるオプションテストルーチン（ステップＳ３１０〜Ｓ３１２）で検証することができるものの、仮説２及び仮説３についてはオプションテストルーチン（ステップＳ３１０〜Ｓ３１２）を実行しても確認することができない。そこで、テストシーケンスを簡略化するため、先のＡ号機の第１の無線モジュール１０３Ａ及びＢ号機の第２の無線モジュール１０３Ｂ間、及びＡ号機の第１の無線モジュール１０３Ａ及びＣ号機の第３の無線モジュール１０３Ｃ間の両方が通信不良有りか否かの判定（ステップＳ３０７）の結果、両方に通信不良有であれば、そのまま以後の処理（ステップＳ３０９〜Ｓ３１２）を実行せず、マスタとなった号機（Ａ号機）の遠隔監視装置１０４Ａは、テストレポート（テストレポート１、テストレポート２）をセンタ装置１１３に送信し、Ａ号機〜Ｃ号機の制御盤１０２Ａ、１０２Ｂ、１０２Ｃは、Ａ号機〜Ｃ号機の第１の無線モジュール１０３Ａ、第２の無線モジュール１０３Ｂ、及び第３の無線モジュール１０３Ｃの電源をオフする（ステップＳ３１３）処理にジャンプしてから無線モジュールテストモードをエンド（ステップＳ３１４）にするようにしても良い。即ち、こうしたテストシーケンスの簡略化した形態によれば、Ａ号機の制御盤１０２Ａの記憶部２０３Ａにおけるテストプログラム２０５Ａが作成したテストレポート（テストレポート１、テストレポート２）を遠隔監視装置１０４Ａを介して受け取ったセンタ装置１１３は、状況に応じて保守点検作業員に保守点検内容を指示するためのレポート等をテスト結果処理プログラムによって自動生成する。
【００３０】
具体的に云えば、まずＣａｃｅ＃１であればＡ号機〜Ｃ号機の全ての通信状態に異常がないので、センタ装置１１３の記憶部２２３に「正常」という保守点検結果を日時と共に記録して終了とする。次に、Ｃａｃｅ＃２やＣａｃｅ＃３では、異常のある無線モジュールが特定されているので、「保守点検作業員の定期点検時に異常のある特定無線モジュールの保守点検を行うこと、その無線モジュールの交換に備えて変換部品を持参すること」を指示するレポートを作成する。更に、Ｃａｃｅ＃４の場合に相当する場合には、異常のある無線モジュールが特定されていないので、「保守点検作業員の定期点検時に現場に到着したら無線保守端末１０９を使って無線モジュールを１台ずつ調べること、各無線モジュールの交換に備えて複数系統分の変換部品を持参すること」を指示するレポートを作成する。何れにしても、テストシーケンスが簡略化された場合にはテスト時間が短時間で行われることになる。
【００３１】
上述したＡ号機の第１の無線モジュール１０３Ａは、先の判定（ステップＳ３０７）の結果、両方に通信不良有である場合に、テストレポート２を作成するレポート作成ルーチンを実行し、Ｃａｃｅ＃４：Ａ号機〜Ｃ号機の無線モジュールのいずれかに異常あり（ステップＳ３０９）とみなす処理を行った後のオプションテストルーチン実行に際しては、マスタをＡ号機の第１の無線モジュール１０３ＡからＢ号機の第２の無線モジュール１０３Ｂに切換える（ステップＳ３１０）処理を行う。この状況では、エレベータ装置１０１Ａ、１０１Ｂ、１０１Ｃがモジュール増設性や拡張性を高めるために独立性が高く、号機間の通信が制限されている上、Ｃａｃｅ＃４では通信異常がある場合に該当するため、無線モジュールを使用しても号機間で通信ができない。そこで、Ｃａｃｅ＃４の場合には制御盤１０２Ａの記憶部２０３Ａにおけるテストプログラム２０５Ａがセンタ装置１１３にマスタをＡ号機の第１の無線モジュール１０３ＡからＢ号機の第２の無線モジュール１０３Ｂに切換えること、並びにＢ号機の第２の無線モジュール１０３Ｂからテストルーチン（第３のテストルーチン）を実行するリクエストを出す。このリクエストを受けたセンタ装置１１３は、Ａ号機の第１の無線モジュール１０３Ａのフラグを１から０にすると共に、Ｂ号機の第２の無線モジュール１０３Ｂのフラグを０から１にした上、制御盤１０２Ｂの記憶部２０３Ｂにおけるテストプログラム２０５Ｂにオプションのストルーチン（第３のテストルーチン）を実行するように指示する。これを受けたテストプログラム２０５ＢによりマスタとなったＢ号機の第２の無線モジュール１０３Ｂは、Ｂ号機の第２の無線モジュール１０３Ｂ及びＣ号機の第３の無線モジュール１０３Ｃ間の「テストサブルーチン（オプションテストルーチン）」実行（ステップＳ３１１）の処理を行う。
【００３２】
更に、マスタとなったＢ号機の第２の無線モジュール１０３Ｂは、「テストサブルーチン（オプションテストルーチン）」実行（ステップＳ３１１）の処理の結果を受けてテストレポート３を作成するレポート作成ルーチンを実行し、具体的にはＣａｃｅ＃５：Ｂ号機の第２の無線モジュール１０３Ｂ及びＣ号機の第３の無線モジュール１０３Ｃ間の通信正常であるが、Ａ号機の無線モジュール（第１の無線モジュール１０３Ａ）異常あり、Ｃａｃｅ＃６：Ｂ号機の第２の無線モジュール１０３Ｂ及びＣ号機の第３の無線モジュール１０３Ｃ間の通信異常である上、Ａ号機の第１の無線モジュール１０３Ａを含む複数の無線モジュールに異常あり（ステップＳ３１２）とする処理を行った後、マスタとなった号機（Ｂ号機）の遠隔監視装置１０４Ｂは、テストレポート（テストレポート３）をセンタ装置１１３に送信し、Ａ号機〜Ｃ号機の制御盤１０２Ａ、１０２Ｂ、１０２Ｃは、Ａ号機〜Ｃ号機の第１の無線モジュール１０３Ａ、第２の無線モジュール１０３Ｂ、及び第３の無線モジュール１０３Ｃの電源をオフする（ステップＳ３１３）処理に移行してから無線モジュールテストモードをエンド（ステップＳ３１４）にする。
【００３３】
上述したオプションテストルーチン実行処理によれば、マスタに問題がある場合を適確に検出することができ、仮説２及び仮説３については異常の最終原因までは特定できないが、これらは複数の無線モジュールが同時に故障を起こした場合に該当するもので、確率的には決して高いものでなく、また同様な発生確率のＣａｃｅ＃５については１個の無線モジュールの故障に関係するものであるが、これについて特定できる分のメリットが高いと言える。尚、上述した実施例１に係るエレベータシステム１００では、群管理される３系統のエレベータ装置１０１Ａ、１０１Ｂ、１０１Ｃについて説明したが、２系統（テストシーケンスを簡略化してオプションテストルーチンを実行しない場合の形態が対象）や４系統以上であっても同等に適用できるため、本発明は実施例１で説明した形態に限定されない。
【００３４】
図５は、実施例１に係る３系統のエレベータ装置１０１Ａ、１０１Ｂ、１０１Ｃを含むエレベータシステム１００における無線モジュール１０３Ａ、１０３Ｂ、１０３Ｃの機能点検結果のデータを例示したもので、同図（ａ）はテストシーケンスのオプションテストルーチン実行無しのテスト結果のデータに係る図、同図（ｂ）は同図（ａ）に継続するテストシーケンスのオプションテストルーチン実行有りのテスト結果のデータに係る図である。
【００３５】
図５（ａ）を参照すれば、ここでは図３で説明したテストシーケンスを簡略化してオプションテストルーチン実行無しとした場合に該当するもので、テストシーケンスがＡ号機の第１の無線モジュール１０３Ａをマスタとして隣接するＢ号機の第２の無線モジュール１０３Ｂにテストデータ列を送信し、Ｂ号機が受信したテストデータ列を折返してＡ号機に送信する第１のテストルーチン、並びにＡ号機がＢ号機に隣接するＣ号機の第３の無線モジュール１０３Ｃにテストデータ列を送信し、Ｃ号機が受信したテストデータ列を折返してＡ号機に送信する第２のテストルーチンを含み、機能点検の結果を示すテストレポート（テストレポート１、テストレポート２）が作成された様子を示している。ここでは、テスト内容が単純化されているために短時間で実施できる他、制御盤１０２Ａ、１０２Ｂ、１０２Ｃ内のタイマプログラム２０４Ａ、２０４Ｂ、２０４Ｃを用いて通常電源が投入されていない無線モジュール１０３Ａ、１０３Ｂ、１０３Ｃをテストプログラム２０５Ａ、２０５Ｂ、２０５Ｃの起動時に電源投入してエレベータシステム１００内で自立的にテストシーケンスを実行できるため、無線モジュール１０３Ａ、１０３Ｂ、１０３Ｃを保守点検時に有効に使用してセキュリティや省電力が十分に図られ、効率良く機能点検することができる。また、無線モジュール１０３Ａ、１０３Ｂ、１０３Ｃの機能点検の結果を示すテストレポートを制御盤１０２Ａ、１０２Ｂ、１０２Ｃに接続される遠隔監視装置１０４Ａ、１０４Ｂ、１０４Ｃを使用して通信回線網１１２を経由してセンタ装置１１３に送信するため、定期的な保守点検で保守すべきエレベータシステム１００におけるエレベータ装置１０１Ａ、１０１Ｂ、１０１Ｃ毎の無線モジュール１０３Ａ、１０３Ｂ、１０３Ｃの機能点検の結果のテストレポートをセンタ装置１１３側で予め得ることができ、これによって保守点検が効率化され、予め無線モジュール１０３Ａ、１０３Ｂ、１０３Ｃの状況を把握して現場へ保守点検作業員を向かわせての保守点検の有無や保守点検に必要な交換部品の準備を指示できることになり、現場での保守点検作業の効率化が図られる。
【００３６】
図５（ｂ）を参照すれば、ここでは図３で説明したオプションテストルーチン実行有りの場合に該当するもので、テストシーケンスが上述した第１のテストルーチン及び第２のテストルーチンの何れにおいても通信異常が発生している場合に、Ｂ号機の第２の無線モジュール１０３Ｂをマスタとして切り換えた上でＢ号機からＣ号機の第３の無線モジュール１０３Ｃにテストデータ列を送信し、Ｃ号機が受信したテストデータ列を折返してＢ号機に送信するオプションテストルーチンを含み、そのオプションテストルーチン実行による機能点検の結果を示すテストレポート（テストレポート３）が作成された様子を示している。ここでは、相対的に発生確率の高い複数の無線モジュールにおける１台だけが異常発生している場合を適確に特定することができる他、マスタとなる無線モジュールを切換えるときにセンタ装置１１３を利用することでエレベータ装置１０１Ａ、１０１Ｂ、１０１Ｃ間の独立性が高く、通信に制限がある場合であっても、適確に切換えを行うことができる。
【実施例２】
【００３７】
実施例２に係るエレベータシステムは、基本構成を略図するが、４系統のエレベータ装置を備え、それらのエレベータ装置毎に備えられた無線モジュールについて実施例１の場合と同様にテストシーケンスを実施する場合のシステム構成を想定している。
【００３８】
図６は、実施例２に係る４系統のエレベータ装置エレベータシステムにおける無線モジュールの機能点検結果のデータを例示したもので、同図（ａ）はテストシーケンスのオプションテストルーチン実行無しのテスト結果のデータに係る図、同図（ｂ）は同図（ａ）に継続するテストシーケンスのオプションテストルーチン実行有りのテスト結果のデータに係る図である。
【００３９】
図６（ａ）を参照すれば、ここでも図３で説明したテストシーケンスを簡略化してオプションテストルーチン実行無しとした場合に該当するもので、テストシーケンスがＡ号機の第１の無線モジュールをマスタとして隣接するＢ号機の第２の無線モジュールにテストデータ列を送信し、Ｂ号機が受信したテストデータ列を折返してＡ号機に送信する第１のテストルーチンと、Ａ号機がＢ号機に隣接するＣ号機の第３の無線モジュールにテストデータ列を送信し、Ｃ号機が受信したテストデータ列を折返してＡ号機に送信する第２のテストルーチンと、Ａ号機がＣ号機に隣接するＤ号機の第４の無線モジュールにテストデータ列を送信し、Ｄ号機が受信したテストデータ列を折返してＡ号機に送信する第３のテストルーチンと、を含み、機能点検の結果を示すテストレポートとして、具体的にはＣａｃｅ＃１：Ａ号機〜Ｄ号機の全て無線モジュール正常、Ｃａｃｅ＃２：Ｂ号機の第２の無線モジュール異常あり、Ｃａｃｅ＃３：Ｃ号機の第３の無線モジュール異常あり、Ｃａｃｅ＃４：Ｄ号機の第４の無線モジュール異常あり、Ｃａｃｅ＃５：Ｂ号機の第２の無線モジュール、Ｃ号機の第３の無線モジュール異常あり、Ｃａｃｅ＃６：Ｃ号機の第３の無線モジュール、Ｄ号機の第４の無線モジュール異常あり、Ｃａｃｅ＃７：Ｂ号機の第２の無線モジュール、Ｄ号機の第４の無線モジュール異常あり、Ｃａｃｅ＃８：Ａ号機〜Ｄ号機のいずれかに異常あり又は（オプション）テストルーチン実行が作成された様子を示している。実施例２においても、Ｃａｃｅ＃８の場合にはＡ号機〜Ｄ号機のいずれかに異常があることが判っていても、その号機までは特定できないが、実施例１の場合と同様に事前に異常のある無線モジュールの号機まで特定されていなくても、保守点検側ではテストレポートの内容に基づいて保守点検作業の指示や準備を行うことができるため、係る機能単独であっても有用性が高いものとなっている。
【００４０】
図６（ｂ）を参照すれば、ここでは図３で説明したオプションテストルーチン実行有りの場合に該当するもので、テストシーケンスが上述した第１のテストルーチン〜第３のテストルーチンの何れにおいても通信異常が発生している場合に、Ｂ号機の第２の無線モジュールをマスタとして切り換えた上でＢ号機からＣ号機の第３の無線モジュールにテストデータ列を送信し、Ｃ号機が受信したテストデータ列を折返してＢ号機に送信する第１のオプションテストルーチンと、Ｂ号機からＤ号機の第４の無線モジュールにテストデータ列を送信し、Ｄ号機が受信したテストデータ列を折返してＢ号機に送信する第２のオプションテストルーチンと、を含み、それらのオプションテストルーチン実行による機能点検の結果を示すテストレポートとして、具体的にはＣａｃｅ＃９：Ａ号機の第１の無線モジュール異常あり、Ｃａｃｅ＃１０：Ａ号機の第１の無線モジュール、Ｃ号機の第３の無線モジュール異常あり、Ｃａｃｅ＃１１：Ａ号機の第１の無線モジュール、Ｄ号機の第４の無線モジュール異常あり、Ｃａｃｅ＃１２：複数（号機）の無線モジュール異常あり、が作成された様子を示している。実施例２においても、Ｃａｃｅ＃９の場合には相対的に発生確率の高い１台の無線モジュールが異常発生している場合を適確に特定することができる他、複数の無線モジュールが同時に故障している可能性までは判明するが、実施例１の場合と同様に号機までは特定できないものの、複数の号機が同時に故障する確率は１台の号機が故障する確率と非常に低く、このような場合には保守点検作業員が現場で無線保守端末１０９を使って無線モジュールを１台ずつ調べれば故障している無線モジュールを特定できるし、テストレポートにより予め複数の無線モジュールに異常があることを前提に認識して必要な変換部品を持参する等の準備をして現場作業を行えば、作業効率が向上する。
【００４１】
実施例２に係るエレベータシステムは、４系統のエレベータ装置を備え、それらのエレベータ装置毎に備えられた無線モジュールについて実施例１の場合と同様にテストシーケンスを実施すれば相対的に発生確率の高い１台の無線モジュールの異常発生を特定できる場合を説明したが、５系統以上のエレベータ装置を備えたシステム構成の場合であっても同様なテストシーケンスを実施すれば発生確率の高い１台の無線モジュールの異常発生を特定できるようになる。
【実施例３】
【００４２】
実施例３に係るエレベータシステムは、実施例１の場合と同様に３系統のエレベータ装置１０１Ａ、１０１Ｂ、１０１Ｃを備え、それらの制御盤１０２Ａ、１０２Ｂ、１０２Ｃの記憶部２０３Ａ′、２０３Ｂ′、２０３Ｃ′がタイマプログラム２０４Ａ、２０４Ｂ、２０４Ｃを持たずにテストプログラム２０５Ａ、２０５Ｂ、２０５Ｃのみを有し、それらの起動をセンタ装置１１３の記憶部２２３′内に内蔵させたスケジューラプログラム（スケジューラＰＲＧ）７０１、並びにテスト起動プログラム（テスト起動ＰＲＧ）７０２の働きで機能させるようにしたものである。
【００４３】
スケジューラプログラム７０１は、営業所が管理する複数のエレベータシステムの保守スケジュールを管理するものであり、保守点検の日時や保守点検作業員の割り当ての他、現場の保守点検項目等を管理する。定期的なエレベータシステムの保守点検は３か月に１度か、或いは２か月に１度等の定期性があり、このスケジューラプログラム７０１で決定して管理する。そこで、スケジューラプログラム７０１で特定のエレベータシステムの保守点検のスケジュールが決定すると、その指示で無線モジュールに対するテスト起動プログラム７０２を起動させることができる。例えば保守点検日が３月１０日（火曜）に予約されたとすると、その７営業日以上前の３月１日（日曜）の深夜３時にテスト起動プログラム７０２を起動させるようにスケジュールを立てる場合を例示できる。
【００４４】
実施例３に係るエレベータシステムでは、センタ装置１１３の記憶部２２３′内のテスト起動プログラム７０２がスケジューラプログラム７０１のスケジュールに従って３月１日（日曜）の深夜３時に通信回線網１１２を通じてテストモード起動用の保守点検指示をテスト開始コマンドとして行い、遠隔監視装置１０４Ａ、１０４Ｂ、１０４Ｃを経由して制御盤１０２Ａ、１０２Ｂ、１０２Ｃの記憶部２０３Ａ′、２０３Ｂ′、２０３Ｃ′のテストプログラム２０５Ａ、２０５Ｂ、２０５Ｃを起動すると、実施例１の場合と同様にエレベータ装置１０１Ａ、１０１Ｂ、１０１Ｃ毎の無線モジュール１０３Ａ、１０３Ｂ、１０３Ｃのテストシーケンスが実行されて機能点検が実施され、その結果のテストレポートをセンタ装置１１３側で取得することができる。このように、保守点検作業員が実際のエレベータシステムの保守点検を行う前のタイミングで無線モジュール１０３Ａ、１０３Ｂ、１０３Ｃの故障等を把握した状態で保守点検を行うことができる。因みに、ここでは保守点検のスケジュールと無線モジュール１０３Ａ、１０３Ｂ、１０３Ｃのテストシーケンス実行による機能点検とをほぼ同期して行わせることが可能であるが、保守点検作業員が予め無線モジュール１０３Ａ、１０３Ｂ、１０３Ｃの機能点検結果のテストレポートに基づいて状況を把握して現場の保守点検や保守部品の準備を行うようにすれば、現場での作業効率を向上させられるために望ましいと言える。
【００４５】
尚、上記各実施例で説明したエレベータシステムは、種々変更することが可能である。例えば実施例１で制御盤１０２Ａ、１０２Ｂ、１０２Ｃの記憶部２０３Ａ、２０３Ｂ、２０３Ｃにタイマプログラム２０４Ａ、２０４Ｂ、２０４Ｃとテストプログラム２０５Ａ、２０５Ｂ、２０５Ｃとを内蔵した場合を説明したが、これは無線モジュール１０３Ａ、１０３Ｂ、１０３Ｃや遠隔監視装置１０４Ａ、１０４Ｂ、１０４Ｃとのアクセスを考えた場合のエレベータシステム１００上での最適な配置であるが、将来的にエレベータシステムが変更されれば最適な配置場所も変更される場合が有り得るし、現状のエレベータシステム１００であっても理論的には無線モジュール１０３Ａ、１０３Ｂ、１０３Ｃ内、遠隔監視装置１０４Ａ、１０４Ｂ、１０４Ｃ内、更にはセンタ装置１１３内にテストプログラム２０５Ａ、２０５Ｂ、２０５Ｃを持たせることも可能である。また、各実施例では数か月に１度行われる保守点検に合わせて無線モジュール１０３Ａ、１０３Ｂ、１０３Ｃが電源投入されて機能点検を実施する場合を説明したが、１台分を保守点検用ではなくエレベータを利用するユーザ向けに常時動作させ、その他については電源オフさせておくような状況も想定されるので、こうした状況に対応させるようにしても同等な作用効果が得られるものである。更に、実施例１では、単純化のためにタイマプログラム２０４Ａ、２０４Ｂ、２０４Ｃが無線モジュール１０３Ａ、１０３Ｂ、１０３Ｃの機能点検を行うための働きについて説明したが、一般にはエレベータシステム１００が定期的に行うセルフテストのトリガーとなっているため、無線モジュール１０３Ａ、１０３Ｂ、１０３Ｃの機能点検はそのセルフテストの１項目として追加することができる。この場合、セルフテストの結果は、図３の処理（ステップＳ３１３）のようにテスト終了後に直ちに送信するのではなく、定期的なセルフテスト結果として遠隔監視装置１０４Ａ、１０４Ｂ、１０４Ｃの記憶部２０８Ａ、２０８Ｂ、２０８Ｃ等に保存しておき、保守点検作業員が保守点検を行う直前のタイミングでセンタ装置１１３にセルフテスト履歴の一部として送信するようにする手法も考えられる。加えて、マスタとなる無線モジュールを切換える場合に、遠隔監視装置１０４Ａ、１０４Ｂ、１０４Ｃ同士が相互に通信可能である場合には、Ａ号機に係るテストプログラム２０５ＡがＢ号機に係るテストプログラム２０５Ｂにオプションテストルーチンを実行するように指示する手法も考えられ、こうした場合にはマスタとなる無線モジュールの切換えにセンタ装置１１３を介して行う必要がなくなる。このように本発明のエレベータシステムは、種々変更することが可能であるため、各実施例で開示した形態に限定されない。
【符号の説明】
【００４６】
１００  エレベータシステム
１０１Ａ、１０１Ｂ、１０１Ｃ  エレベータ装置
１０２Ａ、１０２Ｂ、１０２Ｃ  制御盤（ＥＶＣ）
１０３Ａ、１０３Ｂ、１０３Ｃ  無線モジュール（ＷＭ）
１０４Ａ、１０４Ｂ、１０４Ｃ  遠隔監視装置（ＲＣ）
１０５Ａ、１０５Ｂ、１０５Ｃ  エレベータ機構部
１０６、１０７  乗場操作盤
１０８  群管理盤（ＧＣ）
１０９  無線保守端末
１１０  保守点検作業員
１１１  エレベータホール（乗場）
１１２  通信回線網
１１３  センタ装置
２０１Ａ、２０１Ｂ、２０１Ｃ、２０６Ａ、２０６Ｂ、２０６Ｃ、２２１  入出力部（Ｉ／Ｏ）
２０２Ａ、２０２Ｂ、２０２Ｃ、２０７Ａ、２０７Ｂ、２０７Ｃ、２２２  演算部（ＣＰＵ）
２０３Ａ、２０３Ｂ、２０３Ｃ、２０３Ａ′、２０３Ｂ′、２０３Ｃ′、２０８Ａ、２０８Ｂ、２０８Ｃ、２２３、２２３′  記憶部（ＭＥＭ）
２０４Ａ、２０４Ｂ、２０４Ｃ  タイマプログラム（タイマＰＲＧ）
２０５Ａ、２０５Ｂ、２０５Ｃ  テストプログラム（テストＰＲＧ）
２１１〜２１４  通信経路
７０１  スケジューラプログラム（スケジューラＰＲＧ）
７０２  テスト起動プログラム（テスト起動ＰＲＧ）
【図１】
2017039555.tif 000003
【図２】
2017039555.tif 000004
【図３】
2017039555.tif 000005
【図４】
2017039555.tif 000006
【図５】
2017039555.tif 000007
【図６】
2017039555.tif 000008
【図７】
2017039555.tif 000009